(57)【要約】【課題】操作性が良好でかつ施錠、解錠状態が容易には視認できない框内蔵錠を提供する。【解決手段】外障子３に設けられる受部５に対して係脱自在な掛部１３を有した錠ユニット１０と、錠ユニット１０の掛部１３と連係して操作自在とする操作部１７を有した操作ユニット１１とを備え、錠ユニット１０は固定基部１２に掛部１３が回動自在に取付けられてなり、錠ユニット１０の掛部１３は室内側に向かって延出される延出片１４を備え、操作ユニット１１は召合せ框２０の室内面に取付固定されるガイド部１６と、延出片１４に連係されて掛部１３を室内側から操作自在とすると共に、ガイド部１６に沿ってスライド自在な操作部１７とを備え、操作部１７は室外側に向かって突出する連係部３０を有し、連係部３０は操作部１７のスライドに伴って延出片１４を有した掛部１３を回動するように保持してなる。【選択図】図３
2009155975.tif 000002
【特許請求の範囲】
【請求項１】
枠体内に設けられる内外障子のうち内障子の召合せ框に内蔵されるものであって、前記外障子に設けられる受部に対して係脱自在な掛部を有した錠ユニットと、該錠ユニットの掛部と連係して操作自在とする操作部を有した操作ユニットとを備えた框内蔵錠において、
前記錠ユニットは固定基部に前記掛部が回動自在に取付けられてなり、前記錠ユニットの掛部は室内側に向かって延出される延出片を備え、前記操作ユニットは前記召合せ框の室内面に取付固定されるガイド部と、前記延出片に連係されて前記掛部を室内側から操作自在とすると共に、前記ガイド部に沿ってスライド自在な前記操作部とを備え、
前記操作部は室外側に向かって突出する連係部を有し、該連係部は前記操作部のスライドに伴って前記延出片を有した掛部を回動するように保持してなることを特徴とする框内蔵錠。
【請求項２】
前記連係部は室内外方向に伸びる長孔を有し、前記延出片は前記長孔の長手方向に摺動自在なピン部により前記連係部に保持されることを特徴とする請求項１記載の框内蔵錠。
【請求項３】
前記操作部は該操作部のスライドをロックするロック操作部を室内外方向に揺動自在となるように保持し、前記ロック操作部は前記操作部が所定の位置にあるときに前記ガイド部に形成される係合凹部に対して係脱自在な係合突起を有してなることを特徴とする請求項１または２記載の框内蔵錠。
【発明の詳細な説明】
【技術分野】
【０００１】
本発明は引き違い状の内外障子のうち内障子の召合せ框に設けられる框内蔵錠に関し、特に外障子に設けられる受部に係脱する掛部を有した錠ユニットと召合せ框の室内側に露出して掛部を操作自在とする操作ユニットとからなる框内蔵錠に関する。
【背景技術】
【０００２】
内外障子を引き違い状としてなるサッシにおいて、内障子の召合せ框に框内蔵錠を設け、外障子の召合せ框には受部を設け、框内蔵錠を操作することでその内部に設けられた掛部が受部に係脱し、施錠及び解錠を行うものが知られている。框内蔵錠は、掛部とそれを操作する操作部とを有し、操作部は室内側に露出して、操作者が室内側から操作することができるようにされている。このような框内蔵錠を有した引き違い障子のサッシは例えば特許文献１に挙げるようなものがある。
【特許文献１】特開２００６−１１８１３６号公報
【発明の開示】
【発明が解決しようとする課題】
【０００３】
従来の框内蔵錠は、室内側に露出する操作レバーを上下に回動操作することにより、障子の施錠、解錠操作を容易に行うことができるものである。しかし、従来の框内蔵錠では操作レバーの位置を室外側から目視することで、障子が施錠状態であるか解錠状態であるかを容易に視認することができる。したがって、必ずしも防犯性が高いとは言えないものであった。このため、操作性が良好でかつ施錠、解錠状態が容易には視認できない框内蔵錠が望まれていた。
【０００４】
本発明は、上記課題を解決すべくなされたものであり、操作性が良好でかつ施錠、解錠状態が容易には視認できない框内蔵錠を提供することを目的とする。
【課題を解決するための手段】
【０００５】
上記課題を解決するため、本発明に係る框内蔵錠は、枠体内に設けられる内外障子のうち内障子の召合せ框に内蔵されるものであって、前記外障子に設けられる受部に対して係脱自在な掛部を有した錠ユニットと、該錠ユニットの掛部と連係して操作自在とする操作部を有した操作ユニットとを備えた框内蔵錠において、
前記錠ユニットは固定基部に前記掛部が回動自在に取付けられてなり、前記錠ユニットの掛部は室内側に向かって延出される延出片を備え、前記操作ユニットは前記召合せ框の室内面に取付固定されるガイド部と、前記延出片に連係されて前記掛部を室内側から操作自在とすると共に、前記ガイド部に沿ってスライド自在な前記操作部とを備え、
前記操作部は室外側に向かって突出する連係部を有し、該連係部は前記操作部のスライドに伴って前記延出片を有した掛部を回動するように保持してなることを特徴として構成されている。
【０００６】
また、本発明に係る框内蔵錠は、前記連係部は室内外方向に伸びる長孔を有し、前記延出片は前記長孔の長手方向に摺動自在なピン部により前記連係部に保持されることを特徴として構成されている。
【０００７】
さらに、本発明に係る框内蔵錠は、前記操作部は該操作部のスライドをロックするロック操作部を室内外方向に揺動自在となるように保持し、前記ロック操作部は前記操作部が所定の位置にあるときに前記ガイド部に形成される係合凹部に対して係脱自在な係合突起を有してなることを特徴として構成されている。
【発明の効果】
【０００８】
本発明に係る框内蔵錠によれば、錠ユニットは固定基部に掛部が回動自在に取付けられてなり、錠ユニットの掛部は室内側に向かって延出される延出片を備え、操作ユニットは召合せ框の室内面に取付固定されるガイド部と、延出片に連係されて掛部を室内側から操作自在とすると共に、ガイド部に沿ってスライド自在な操作部とを備え、操作部は室外側に向かって突出する連係部を有し、連係部は操作部のスライドに伴って延出片を有した掛部を回動するように保持してなることにより、召合せ框内に納められた掛部を、召合せ框の室内面でスライド自在な操作部により回動させることができるので、操作部のスライドにより容易に施錠、解錠操作を行うことができると共に、操作部は操作により上下にスライドするだけであるため、操作部の位置を室外側から目視しても施錠、解錠状態を容易には視認することができないので、防犯性を高めることができる。
【０００９】
また、本発明に係る框内蔵錠によれば、連係部は室内外方向に伸びる長孔を有し、延出片は長孔の長手方向に摺動自在なピン部により連係部に保持されることにより、操作部のスライド操作により延出片を有する掛部を回動させる機構を簡易に構成することができる。
【００１０】
さらに、本発明に係る框内蔵錠によれば、操作部は該操作部のスライドをロックするロック操作部を室内外方向に揺動自在となるように保持し、ロック操作部は操作部が所定の位置にあるときにガイド部に形成される係合凹部に対して係脱自在な係合突起を有してなることにより、ロック操作部により操作部のスライド操作をロックすることができ、これを補助錠として機能させることができる。
【発明を実施するための最良の形態】
【００１１】
本発明の実施形態について、図面に沿って詳細に説明する。図１は本実施形態の框内蔵錠を有したサッシを室内側から見た正面図である。この図に示すように、サッシは、建物開口部に方形状の枠体１を設け、その内部に内障子２と外障子３を引き違い状に納めてなるものである。このうち内障子２の召合せ框２０に框内蔵錠４が設けられる。一方、外障子３の召合せ框２０には受部５が設けられる。
【００１２】
図２には、框内蔵錠を有したサッシの横断面図を示している。この図に示すように、内障子２と外障子３は、縦方向に配置される召合せ框２０と縦框２１とを有しており、その間にはガラス体２２が納められている。ガラス体２２を納めるために召合せ框２０及び縦框２１は、内周面にガラス挿入溝２３を有している。また、ガラス挿入溝２３よりも外周側には、中空部２４を有している。
【００１３】
内障子２の召合せ框２０は、中空部２４が室内側に張り出しており、召合せ框２０の断面積が大きくなるようにしている。これによって召合せ框２０の強度を大きくすると共に、張り出した部分に手をかけて内障子２を開閉しやすいようにしている。また、内障子２の召合せ框２０に形成される中空部２４に框内蔵錠４が納められる。
【００１４】
外障子３の召合せ框２０は、室内側面に受部５を有している。受部５は、内障子２の框内蔵錠４に設けられる掛部１３が係脱するものであり、掛部１３が受部５に係合することで内障子２と外障子３が施錠状態に、掛部１３が受部５から係合解除されることで内障子２と外障子３が解錠状態になる。受部５は、掛部１３が係合することのできる係合部５ａと、框内蔵錠４側に設けられる回動ロック部１５のロック状態を解除する当接部５ｂとを有して構成されている。
【００１５】
図３には、内障子２と外障子３の召合せ部分における内部構造を表した側面図を示している。この図は、掛部１３が受部５と係合していない状態、すなわち内障子２と外障子３が解錠された状態を表している。図３に示すように、内障子２の召合せ框２０に納められる框内蔵錠４は、受部５と係脱自在な掛部１３を有する錠ユニット１０と、掛部１３と連係してこれを操作する操作部１７を有した操作ユニット１１とからなっている。
【００１６】
錠ユニット１０は、召合せ框２０に対して固定するための固定基部１２に、掛部１３が回動自在に支持されて構成されている。また、掛部１３には室内側に向かって延出する延出片１４が設けられている。操作ユニット１１は、召合せ框２０の室内面に設けられる縦長状のガイド部１６と、ガイド部１６に沿って上下方向に摺動自在とされ錠ユニット１０の延出片１４と連係して掛部１３を操作することのできる操作部１７とを有している。
【００１７】
錠ユニット１０の掛部１３は、鎌状に形成されて回動に伴い受部５の係合部５ａに係脱することができる。また、錠ユニット１０には回動ロック部１５が設けられており、図３に示す内障子２と外障子３が閉じた状態においては、回動ロック部１５が受部５の当接部５ｂに当接しており、掛部１３の回動に対するロックが解除された状態となっている。
【００１８】
回動ロック部１５と当接部５ｂの関係について更に詳細に説明する。図４には、内障子２と外障子３の開閉前後における各召合せ框２０の横断面図を示している。図４（ａ）は内障子２または外障子３あるいは両方が開いている状態を表しており、図４（ｂ）は内障子２と外障子３が閉じた状態を表している。
【００１９】
図４（ａ）に示すように、内外の召合せ框２０が離れている状態において、錠ユニット１０の回動ロック部１５は、固定基部１２に対して傾斜状となっている。図３に示すように回動ロック部１５は、固定基部１２に上下方向を軸として揺動自在に保持された揺動軸部１５ａと、揺動軸部１５ａから受部５側に向かって延びる検出部１５ｂと、揺動軸部１５ａから室内側に向かって延びるロック部１５ｃとを有している。
【００２０】
揺動軸部１５ａは、図４（ａ）に示す傾斜方向に対し弾性的に付勢されて固定基部１２に保持されている。検出部１５ｂは、先端に内障子２の走行方向に略面する当接面１５ｄを有しており、その先端部が召合せ框２０の室外面に当接することにより、回動ロック部１５が付勢に抗して停止した状態となっている。また、回動ロック部１５のロック部１５ｃは、先端が略Ｌ字状に形成されている。延出片１４には凹部１４ａが形成されると共に、図３に示すように凹部１４ａの底面には係合孔１４ｂが形成されている。図４（ａ）においては、回動ロック部１５のロック部１５ｃにおける先端部が、延出片１４の係合孔１４ｂに係合している。これにより、延出片１４は掛部１３共々回動することができず、操作部１７も動かすことができないようにされている。すなわち、図４（ａ）では掛部１３がロック状態となっている。
【００２１】
受部５に形成される当接部５ｂは、外障子３の走行方向に面すると共に、内障子２の回動ロック部１５に形成される当接面１５ｄと対向している。図３に示すように、当接部５ｂは受部５とは異なる高さ位置に形成されており、当接部５ｂ及び当接面１５ｄの接離において係合部５ａや掛部１３と干渉しないようにされている。図４（ｂ）に示すように、内障子２と外障子３が閉じた状態となると、受部５に形成された当接部５ｂが回動ロック部１５の当接面１５ｄに当接する。それに伴い、回動ロック部１５は揺動軸部１５ａにおける付勢に対抗して揺動し、ロック部１５ｃの係合孔１４ｂに対する係合が解除される。これによって、延出片１４は掛部１３共々回動することができるようになるので、操作部１７の操作により掛部１３を受部５に対して係合するように回動させることができる。すなわち、図４（ｂ）では掛部１３がロック解除状態となっている。
【００２２】
このように、外障子３の召合せ框２０側に、外障子３の走行方向に面する当接部５ｂを設け、内障子２の召合せ框２０に設けられる錠ユニット１０に、当接部５ｂと対向する当接面１５ｄと、延出片１４と係脱するロック部１５ｃを有する回動ロック部１５を設け、回動ロック部１５はロック部１５ｃが延出片１４と係合する方向に付勢され、内障子２と外障子３が閉じた状態で当接面１５ｄが当接部５ｂに当接し、回動ロック部１５が揺動してロック部１５ｃの延出片１４に対する係合が解除されるようにしたことで、内障子２と外障子３が閉じた状態のとき以外は、回動ロック部１５が掛部１３の回動をロックしているので、簡易な機構により錠に空掛け防止機能を持たせることができる。なお、本実施形態では、当接部５ｂを受部５に形成しているが、受部５とは別体として外障子３の召合せ框２０に固定するようにしてもよい。また、当接部５ｂを受部５とは別体とした上で、受部５に対して固定するようにしてもよい。
【００２３】
図３に示すように、操作ユニット１１の操作部１７は、召合せ框２０の中空部２４内に向かって突出する連係部３０を有している。連係部３０は、室内外方向に伸びる長孔３０ａを有しており、この長孔３０ａに対して錠ユニット１０の延出片１４の室内端部が回動自在に保持される。延出片１４の室内端部にはピン部１４ｃが設けられており、このピン部１４ｃが長孔３０ａに挿通されることで、延出片１４が連係部３０に対し回動自在に保持されている。
【００２４】
図５には、操作部１７を上方にスライドさせた中間の状態を表した側面図を示している。この図に示すように、操作部１７をガイド部１６に沿って上下方向にスライドさせると、連係部３０もそれに伴って上下し、延出片１４はピン部１４ｃが長孔３０ａ内をスライドすることで回動することができる。なお、図５に示すのは内障子２と外障子３が閉じた状態であり、したがって錠ユニット１０の回動ロック部１５による掛部１３のロック状態は解除されており、操作部１７を上方にスライドさせることができる。
【００２５】
図４に示すように、内障子２の召合せ框２０には、室内面に室内開口部２６が形成されており、この室内開口部２６にガイド部１６が固定される。召合せ框２０の室内面のうち、室内開口部２６近傍には、固定凹部２０ａが形成されている。ガイド部１６には室外面に固定凸部１６ａが形成されており、固定凹部２０ａと係合することで、開口部を有する召合せ框２０の強度の低下を抑えるようにしている。また、操作ユニット１１の取付強度を増して、操作部１７を内障子２を開閉する際の引手として利用することもできる。
【００２６】
ガイド部１６は、召合せ框２０の室内開口部２６を覆うように取付けられ、操作部１７は室外面がガイド部１６の室内側に露出した部分に沿うように形成されていることで、ガイド部１６の長手方向に沿ってスライド自在とされている。
【００２７】
操作部１７は、召合せ框２０の左右方向中央位置に配置されており、一方で操作部１７に設けられる連係部３０は、操作部１７の左右方向中央位置よりも召合せ框２０の外周面側に偏った位置に設けられている。召合せ框２０は、召合せ框２０を意匠性向上のため幅細に形成し、かつ内周面にはガラス挿入溝２３を有しているため、中空部２４は外周面側に偏って配置されている。このため、連係部３０を操作部１７において召合せ框２０の外周面側に偏った位置に配置することで、操作部１７の室内側に露出する部分は召合せ框２０の左右方向中央位置に配置することができ、操作部１７が召合せ框２０の室内面において一方側に偏って配置されることによる意匠性の低下を防止することができる。
【００２８】
また、錠ユニット１０の延出片１４は、連係部３０の偏って配置されている側である召合せ框２０の外周面側の面に当接し連係されている。これによって、錠ユニット１０は召合せ框２０内において連係部３０よりもさらに外周面側に配置されることとなる。これによって、召合せ框２０の外周面側に偏っている中空部２４内に、錠ユニット１０を干渉することなく納めることができる。すなわち、意匠性向上のため幅細に形成された召合せ框２０において、錠ユニット１０を確実に召合せ框２０内に納めることができるようにしている。
【００２９】
図６には、内障子２の召合せ框２０と錠ユニット１０及び操作ユニット１１の分解横断面図を示している。召合せ框２０には、前述のように室内面に室内開口部２６が形成されており、また室外面には室外開口部２５が形成されている。錠ユニット１０は、召合せ框２０の室外開口部２５から中空部２４内に挿入されて固定される。一方、操作ユニット１１は、召合せ框２０の室内開口部２６から中空部２４内に挿入されて固定されると共に、連係部３０が錠ユニット１０の延出片１４と連係される。このように、予めユニット化された錠ユニット１０及び操作ユニット１１を召合せ框２０の室内外面からそれぞれ挿入し固定するようにしたので、框内蔵錠の取付作業を容易にすることができる。
【００３０】
操作ユニット１１の構成について、更に詳細に説明する。図７には、操作ユニット１１の分解側面図を示している。この図に示すように、操作ユニット１１は前述のガイド部１６と操作部１７と、操作部１７に取付けられる連係部３０と、操作部１７に取付けられ操作部１７の移動のロック操作を行うロック操作部３２と、ロック操作部３２を操作部１７に対し揺動自在となるように取付ける支持部品３３とを有している。
【００３１】
連係部３０は、上下方向に伸びる板状の延出部３１と一体化されている。延出部３１は、召合せ框２０の中空部２４内面に当接して、操作部１７が上下にスライドされた際に操作部１７と一体的に上下し、そのスライドを案内する。図８には、ガイド部１６の平面図を示している。この図に示すように、ガイド部１６には中央部に略長方形状のガイド孔１６ｂが形成されており、このガイド孔１６ｂに連係部３０が挿通され、操作部１７と一体化される。したがって、操作部１７を上下にスライドさせると、ガイド部１６のガイド孔１６ｂに連係部３０が規制されながらスライドすることとなる。また、ガイド部１６に形成されたガイド孔１６ｂの縁部には、ガイド孔１６ｂを挟んで一対の係合凹部１６ｃが形成される。
【００３２】
操作部１７に設けられるロック操作部３２は、支持部品３３によって操作部１７に対して軸部３２ａを中心に揺動自在に取付けられる。軸部３２ａはロック操作部３２の側面に設けられ、ロック操作部３２を室内側から押圧操作することにより、ロック操作部３２の一端側を操作部１７の表面から押し込むようにすることができる。また、ロック操作部３２の室外側面には、突起状の係合突起３２ｂが形成されており、ロック操作部３２が操作されることで、係合突起３２ｂが室内外方向に移動する。
【００３３】
図９には、操作部１７を上端までスライドさせた状態を表した側面図を示している。この図は、操作部１７が上端までスライドされることで、掛部１３が受部５に係合した状態、すなわち内障子２と外障子３を施錠した状態を表している。この状態において、ロック操作部３２の係合突起３２ｂは、ガイド部１６の係合凹部１６ｃに対して係脱自在な位置となり、ロック操作部３２を揺動操作することにより係合突起３２ｂを係合凹部１６ｃに対して係合させた状態とすることができる。これにより、操作部１７はガイド部１６にロックされた状態となる。
【００３４】
操作部１７のガイド部１６に対するロック状態を解除するには、ロック操作部３２の上部を押圧し、これを揺動操作して係合突起３２ｂの係合凹部１６ｃに対する係合状態を解除すればよい。図５に示すように操作部１７を下方にスライド操作して掛部１３の受部５に対する係合を解除する際には、ロック操作部３２はロックが解除された状態、すなわち係合突起３２ｂが係合凹部１６ｃから係合解除され、かつ操作部１７から下端部が突出した状態となっている。さらに、図３に示すように操作部１７を下端までスライド操作させると、ロック操作部３２はガイド部１６の下端よりもさらに下方位置に配置される。このため、この状態でロック操作部３２を揺動操作し、操作部１７内に押し込んだ状態とすることもできる。
【００３５】
その後に操作部１７を上方にスライドさせると、ロック操作部３２の係合突起３２ｂがガイド部１６と干渉することとなるが、ガイド部１６の下端部には傾斜面部１６ｄが形成されており、操作部１７のスライド操作に伴い、係合突起３２ｂの先端部は傾斜面部１６ｄを介してガイド部１６に乗り上げることができる。なお、これによってロック操作部３２は揺動して一端部が操作部１７から突出した状態となる。このようにガイド部１６に傾斜面部１６ｄを設けたことで、解錠時にロック操作部３２を操作していても、操作部１７のスライド操作が阻害されないようにすることができる。
【００３６】
本実施形態の框内蔵錠は、主に住宅用として用いられるサッシに組み込んだ状態を示したが、他にもビル用として用いられるサッシに組み込んでもよい。図１０には、ビル用サッシに設けられる内障子２及び外障子３の召合せ框２０の横断面図を示している。この図に示すように、ビル用サッシも住宅用サッシと略同様の構成を有しており、召合せ框２０にはガラス体２２の周縁部を納めるガラス挿入溝２３が形成され、それよりも外周側に中空部２４が形成されている。そして、中空部２４内に錠ユニット１０が納められると共に、召合せ框２０の室内面に取付けられる操作ユニット１１の連係部３０と連係し、操作部１７の操作に伴い錠ユニット１０の掛部１３を受部５に対して係脱するようにしている。
【００３７】
ビル用サッシにおいても、召合せ框２０は幅細に形成されており、ガラス挿入溝２３により中空部２４は外周面側に偏って配置されている。このため、操作ユニット１１の連係部３０は操作部１７の左右方向中央位置よりも召合せ框２０の外周面側に偏って配置され、さらに錠ユニット１０の延出片１４は連係部３０のうち召合せ框２０の外周面側の面に当接し連係している。これにより、中空部２４が召合せ框２０の外周面側に偏っていても、操作部１７は召合せ框２０の左右方向中央位置に配置することができる。
【００３８】
これまで本発明の実施形態について説明したが、本発明の適用は本実施形態には限られず、その技術的思想の範囲内において様々に適用されうるものである。
【図面の簡単な説明】
【００３９】
【図１】本実施形態における框内蔵錠を有するサッシを室内側から見た正面図である。
【図２】框内蔵錠を有したサッシの横断面図である。
【図３】内障子と外障子の召合せ部分における内部構造を表した側面図である。
【図４】内障子と外障子の開閉前後における各召合せ框の横断面図である。
【図５】操作部を上方にスライドさせた中間の状態を表した側面図である。
【図６】内障子の召合せ框と錠ユニット及び操作ユニットの分解横断面図である。
【図７】操作ユニットの分解側面図である。
【図８】ガイド部の平面図である。
【図９】操作部を上端までスライドさせた状態を表した側面図である。
【図１０】ビル用サッシに設けられる内障子及び外障子の召合せ框の横断面図である。
【符号の説明】
【００４０】
１    枠体
２    内障子
３    外障子
４    框内蔵錠
５    受部
５ａ  係合部
５ｂ  当接部
１０    錠ユニット
１１    操作ユニット
１２    固定基部
１３    掛部
１４    延出片
１４ｃ  ピン部
１５    回動ロック部
１５ｂ  検出部
１５ｃ  ロック部
１５ｄ  当接面
１６    ガイド部
１７    操作部
２０    召合せ框
２４    中空部
２５    室外開口部
２６    室内開口部
３０    連係部
３０ａ  長孔
３２    ロック操作部
３２ｂ  係合突起
【図１】
2009155975.tif 000003
【図２】
2009155975.tif 000004
【図３】
2009155975.tif 000005
【図４】
2009155975.tif 000006
【図５】
2009155975.tif 000007
【図６】
2009155975.tif 000008
【図７】
2009155975.tif 000009
【図８】
2009155975.tif 000010
【図９】
2009155975.tif 000011
【図１０】
2009155975.tif 000012